(57)【特許請求の範囲】
【請求項１】
コレクタをＤＣ電源部の正出力端子に接続したＮＰＮ型第１トランジスタと、前記ＮＰＮ型第１トランジスタのコレクタベース間に接続された第１の抵抗と、一端を前記ＮＰＮ型第１トランジスタのベースに接続し、他端を第２の抵抗を介して前記ＤＣ電源部の負出力端子に接続した基準電圧部と、エミッタを前記ＤＣ電源部の負出力端子に接続し、ベースを前記第２の抵抗に接続したＮＰＮ型第２トランジスタと、エミッタを前記ＮＰＮ型第１トランジスタのエミッタに接続し、ベースを第３の抵抗を介して前記ＮＰＮ型第１トランジスタのエミッタに接続するとともに第４の抵抗を介して前記ＮＰＮ型第２トランジスタのコレクタに接続したＰＮＰ型第３トランジスタと、コレクタを前記ＤＣ電源部の正出力端子に接続し、ベースを前記ＰＮＰ型第３トランジスタのコレクタに接続したＮＰＮトランジスタを少なくとも１つ備えた安定化電源回路。
【請求項２】
前記ＮＰＮ型第１トランジスタのエミッタと前記ＤＣ電源部負出力端子間にバックアップ部を備えた請求項１記載の安定化電源回路。
【請求項３】
ＮＰＮ型第２トランジスタを前記第２の抵抗を内蔵する抵抗内蔵型ＮＰＮトランジスタとした請求項１あるいは請求項２記載の安定化電源回路。
【請求項４】
ＰＮＰ型第３トランジスタを少なくとも前記第３の抵抗と前記第４の抵抗のいずれか一方を内蔵する抵抗内蔵型ＰＮＰトランジスタとした請求項１または請求項２記載の安定化電源回路。
【請求項５】
同一パッケージ内にＮＰＮトランジスタとＰＮＰトランジスタを備えた複合トランジスタによりＮＰＮ型第２トランジスタとＰＮＰ型第３トランジスタを構成した請求項１または請求項２記載の安定化電源回路。
【発明の詳細な説明】
【技術分野】
【０００１】
本発明は、直流電圧源の電圧を安定化して出力する安定化電源回路に関するものである。
【背景技術】
【０００２】
従来、この種の安定化電源回路は、図５に示すように構成している（例えば、特許文献１参照）。以下、その構成について説明する。
【０００３】
図１０に示すように、ＮＰＮ型第１トランジスタ１０２は、コレクタを直流電圧Ｖｉを出力するＤＣ電源部（図示せず）の正出力端子に接続し、ベースを第１抵抗１０１を介してＤＣ電源部の正出力端子に接続している。ツェナーダイオード１０４は、カソードをＮＰＮ型第１トランジスタ１０２のベースに接続し、アノードを第２抵抗１０３を介してＤＣ電源部の負出力端子に接続している。ＮＰＮ型第２トランジスタ１０５は、エミッタをＤＣ電源部の負出力端子に接続し、ベースをツェナーダイオード１０４のアノードに接続している。ＰＮＰ型第３トランジスタ１０８は、エミッタをＮＰＮ型第１トランジスタ１０２のエミッタに接続し、ベースを第３抵抗１０６を介してＮＰＮ型第２トランジスタ１０５のエミッタに接続するとともに、第４抵抗１０７を介してＮＰＮ型第１トランジスタ１０２のエミッタに接続している。このＰＮＰ型第３トランジス１０８のコレクタから出力電圧Ｖｏが取りだされる。
【０００４】
このように構成した従来の安定化電源回路の動作について説明する。ＤＣ電源部の出力電圧Ｖｉがツェナーダイオード１０４のツェナー電圧Ｖｚ１０４とＮＰＮ型第２トランジスタ１０５のベース−エミッタ間電圧であるＶＢＥ１０５の和、すなわちＶｚ１０４＋ＶＢＥ１０５より低い電圧の場合、第１抵抗１０１およびツェナーダイオード１０４を通してＮＰＮ型第２トランジスタ１０５のベースに電流が流れないので、ＮＰＮ型第２トランジスタ１０５は非導通状態となる。このとき、ＰＮＰ型第３トランジスタ１０８のベース電流も流れないため、ＰＮＰ型第３トランジスタ１０８も非導通状態となる。
【０００５】
入力電源電圧ＶｉがＶＺ１０４＋ＶＢＥ１０５より高くなると、第１抵抗１０１およびツェナーダイオード１０４を通してＮＰＮ型第２トランジスタ１０５のベースに電流が流れるので、ＮＰＮ型第２トランジスタ１０５は導通状態となる。これにより、ＰＮＰ型第３トランジスタ１０８のベース電流が第４抵抗１０７を通して流れ、ＰＮＰ型第３トランジスタ１０８は導通状態となる。このとき、第１抵抗１０１における電位差をＶＲ１とすると、Ｖｉ＝ＶＲ１＋Ｖｚ１０４＋ＶＢＥ１０５となる。
【０００６】
また、ＮＰＮ型第１トランジスタ１０２のエミッタ電圧ＶＥ１０２は、ＮＰＮ型第１トランジスタ１０２のベース−エミッタ間電圧をＶＢＥ１０２とすると、ＶＥ１０２＝Ｖｚ１０４＋ＶＢＥ１０５−ＶＢＥ１０２となる。
【０００７】
ＮＰＮ型第１トランジスタ１０２のコレクタ電流をＩＣ１０２とすると、ＮＰＮ型第１トランジスタ１０２のコレクタ損失ＰＣ１０２は、Ｃ１０２＝ＩＣ１０２×（Ｖｉ−ＶＥ１０２）となる。
【０００８】
次にＰＮＰ型第３トランジスタ１０８のコレクタ電圧ＶＣ１０８はＰＮＰ型第３トランジスタ１０８のコレクタ−エミッタ間電圧をＶｃｅ１０８とすると、ＶＣ１０８＝ＶＥ１０２−Ｖｃｅ１０８となる。
【０００９】
ＰＮＰ型第３トランジスタ１０８のコレクタ電流をＩＣ１０８とすると、ＰＮＰ型第３トランジスタ１０８のコレクタ損失ＰＣ１０８は、ＰＣ１０８＝ＩＣ１０８×Ｖｃｅ１０８となる。
【先行技術文献】
【特許文献】
【００１０】
【特許文献１】特開平１−１５５４１１号公報
【発明の概要】
【発明が解決しようとする課題】
【００１１】
しかしながら、このような従来の構成では、ＰＮＰ型第３トランジスタ１０８に接続される負荷に供給する電流が多くなると、すなわちＩＣ１０８が多くなると必然的にＮＰＮ型第１トランジスタ１０２のコレクタ電流ＩＣ１０２も多くなり、その結果ＮＰＮ型第１トランジスタ１０２とＰＮＰ型第３トランジスタ１０８のコレクタ損失が増加する。特に非飽和領域で使用しているＮＰＮ型第１トランジスタ１０２は、飽和領域で使用しているＰＮＰ型第３トランジスタ１０８に比べコレクタ電流増加によるコレクタ損失への影響は大きい。これにより負荷電流の増加に伴いＮＰＮ型第１トランジスタ１０２は大型化し、その結果として電源回路が実装される回路基板が大型化することになる。
【００１２】
例えば一般的な家庭用ＩＨジャー炊飯器などの熱調理機器においては、電源回路を含む回路基板は機器本体内に配置されているので、回路基板が大型化することは調理機器自体の大型化を招くことになる。
【００１３】
また、熱調理機器本体内部は調理時に室温より高温となるものが一般的であり、このような熱調理機器内部に配置される電源回路においては、周囲温度上昇分を加味した損失軽減を考慮する必要があるため。このため調理機器本体内部に設置されるこのような電源回路におけるＮＰＮ型第１トランジスタはコレクタ損失の定格が大きなものを使用するか、ヒートシンクなどによる冷却手段を設ける必要があるため、電源回路は大型化といった課題があった。
【００１４】
本発明は上記課題を解決するもので、ＮＰＮ型第１トランジスタをより低コレクタ損失のものを使用できるようにすることにより、小型で安価な電源回路を提供することを目的としている。
【課題を解決するための手段】
【００１５】
本発明は上記目的を達成するために、コレクタをＤＣ電源部の正出力端子に接続したＮＰＮ型第１トランジスタと、前記ＮＰＮ型第１トランジスタのコレクタベース間に接続された第１の抵抗と、一端を前記ＮＰＮ型第１トランジスタのベースに接続し、他端を第２の抵抗を介して前記ＤＣ電源部の負出力端子に接続した基準電圧部と、エミッタを前記ＤＣ電源部の負出力端子に接続し、ベースを前記第２の抵抗に接続したＮＰＮ型第２トランジスタと、エミッタを前記ＮＰＮ型第１トランジスタのエミッタに接続し、ベースを第３の抵抗を介して前記ＮＰＮ型第１トランジスタのエミッタに接続するとともに第４の抵抗を介して前記ＮＰＮ型第２トランジスタのコレクタに接続したＰＮＰ型第３トランジスタと、コレクタを前記ＤＣ電源部の正出力端子に接続し、ベースを前記ＰＮＰ型第３トランジスタのコレクタに接続したＮＰＮトランジスタを少なくとも１つ備えるよう構成したものである。
【００１６】
これにより、ＮＰＮ型第１トランジスタから全ての負荷電流を供給せずともよくなり、ＮＰＮ型第１トランジスタには大型のＮＰＮトランジスタを使用せずともよく、小型のＮＰＮトランジスタを使用することができる。
【発明の効果】
【００１７】
本発明の安定化電源回路は、電圧降下用のトランジスタに従来よりも低コレクタ損失品を採用することが可能となり、このことにより小型の電源回路を提供することが可能となる。
【図面の簡単な説明】
【００１８】
【図１】本発明の実施の形態１における安定化電源回路の回路図
【図２】本発明の実施の形態２における安定化電源回路の回路図
【図３】本発明の実施の形態３における安定化電源回路の回路図
【図４】本発明の実施の形態４における安定化電源回路の回路図
【図５】本発明の実施の形態４における安定化電源回路の回路図
【図６】従来の安定化電源回路の回路図
【発明を実施するための形態】
【００１９】
第１の発明は、コレクタをＤＣ電源部の正出力端子に接続したＮＰＮ型第１トランジスタと、前記ＮＰＮ型第１トランジスタのコレクタベース間に接続された第１の抵抗と、一端を前記ＮＰＮ型第１トランジスタのベースに接続し、他端を第２の抵抗を介して前記ＤＣ電源部の負出力端子に接続した基準電圧部と、エミッタを前記ＤＣ電源部の負出力端子に接続し、ベースを前記第２の抵抗に接続したＮＰＮ型第２トランジスタと、エミッタを前記ＮＰＮ型第１トランジスタのエミッタに接続し、ベースを第３の抵抗を介して前記ＮＰＮ型第１トランジスタのエミッタに接続するとともに第４の抵抗を介して前記ＮＰＮ型第２トランジスタのコレクタに接続したＰＮＰ型第３トランジスタと、コレクタを前記ＤＣ電源部の正出力端子に接続し、ベースを前記ＰＮＰ型第３トランジスタのコレクタに接続したＮＰＮトランジスタを少なくとも１つ備えたものであり、ＮＰＮ型第１トランジスタから全ての負荷電流を供給せずともよくなり、ＮＰＮ型第１トランジスタには大型のＮＰＮトランジスタを使用せずともよく、小型のＮＰＮトランジスタを使用することができ低コレクタ損失のトランジスタを用いた安定化電源回路を提供することができる。
【００２０】
第２の発明は、上記第１の発明において、前記ＮＰＮ型第１トランジスタのエミッタと前記ＤＣ電源部負出力端子間にバックアップ部を備えたものであり、ＤＣ電源部からの入力がない場合にでもＮＰＮ型第１トランジスタのエミッタに接続された負荷にのみ電力を供給することが可能な電源回路を提供することができる。
【００２１】
第３の発明は、上記第１または第２の発明において、ＮＰＮ型第２トランジスタを第２の抵抗を内蔵する抵抗内蔵型ＮＰＮトランジスタにより構成したものであり、第１の発明における電源回路の部品点数を減らすことができる。したがって電源回路を小さくすることができる。
【００２２】
第４の発明は、上記第１または第２の発明において、ＰＮＰ型第３トランジスタを少なくとも前記第３の抵抗と前記第４の抵抗のいずれか一方を内蔵する抵抗内蔵型ＰＮＰトランジスタにより構成したものであり、第１の発明における電源回路の部品点数を減らすことができる。したがって電源回路を小さくすることができる。
【００２３】
第５の発明は、上記第１または第２の発明において、同一パッケージ内にＮＰＮトランジスタとＰＮＰトランジスタを備えた複合トランジスタによりＮＰＮ型第２トランジスタとＰＮＰ型第３トランジスタにより構成したものであり、第１の発明における電源回路の部品点数を減らすことができる。したがって電源回路を小さくすることができる。
【００２４】
以下、本発明の実施の形態について、図面を参照しながら説明する。なお、この実施の
形態によって本発明が限定されるものではない。
【００２５】
（実施の形態１）
図１は、本発明の実施の形態１における安定化電源回路の回路図を示すものである。図１に示すように、ＮＰＮ型第１トランジスタ１のコレクタはＤＣ電源部（図示せず）の正出力端子に接続されている。第１の抵抗２はＮＰＮ型第１トランジスタ１のコレクタ−ベース間に接続されている。基準電圧部３であるツェナーダイオードはカソードをＮＰＮ型第１トランジスタ１のベースに接続され、アノードを第２の抵抗４を介してＤＣ電源部の負出力端子に接続されている。ＮＰＮ型第２トランジスタ５のエミッタはＤＣ電源部の負出力端子に接続され、ベースは基準電源部４であるツェナーダイオードのアノードに接続されている。ＰＮＰ型第３トランジスタ６のエミッタはＮＰＮ型第１トランジスタ１のエミッタに接続され、ベースは第３の抵抗７を介してＮＰＮ型第１トランジスタ１のエミッタに接続されるとともに第４の抵抗８を介してＮＰＮ型第２トランジスタ５のコレクタに接続されている。ＮＰＮ型第４トランジスタとＮＰＮ型第５トランジスタのそれぞれのコレクタはＤＣ電源部の正出力端子に接続され、それぞれのベースはＰＮＰ型第３トランジスタのコレクタに接続されている。ＮＰＮ型第１トランジスタのエミッタには第１負荷が、ＰＮＰ型第３トランジスタのコレクタには第２負荷が、ＮＰＮ型第４トランジスタのエミッタには第３負荷が、ＮＰＮ型第５トランジスタのエミッタには第４負荷が接続されている。例えば一般家庭で使用される加熱調理機器の一種であるＩＨジャー炊飯器においては、第１負荷は米を入れる内釜を加熱する加熱部を制御する制御部であり、第２負荷は内釜の温度を検知する温度検知部であり、第３負荷は使用者が操作する操作部であり、第４負荷は機器の状態を表示する表示部である。
【００２６】
上記構成において動作、作用を説明する。
【００２７】
ＤＣ電源部から電圧が出力されると、第１の抵抗２を介してＮＰＮ型第１トランジスタにベース電流が流れ出し、ＮＰＮ型第１トランジスタ１がＯＮし、ＮＰＮ型第１トランジスタ１のエミッタに接続された第１負荷１１に電流が供給される。ＤＣ電源部の出力電圧ＶＣＣが基準電圧部３であるツェナーダイオードのツェナー電圧Ｖｚ４とＮＰＮ型第２トランジスタ５のベース−エミッタ間電圧であるＶＢＥ５の和、すなわちＶｚ４＋ＶＢＥ５より低い電圧の場合、第１の抵抗２および基準電圧部３であるツェナーダイオードを通してＮＰＮ型第２トランジスタ５のベースに電流が流れないので、ＮＰＮ型第２トランジスタ５はＯＦＦとなる。この状態ではＰＮＰ型第３トランジスタ６のベース電流も流れないため、ＰＮＰ型第３トランジスタ６もＯＦＦである。やがてＶＣＣがＶｚ４＋ＶＢＥ５より高くなると、第１の抵抗２および基準電圧部３であるツェナーダイオードを通してＮＰＮ型第２トランジスタ５のベースに電流が流れるので、ＮＰＮ型第２トランジスタ５はＯＮとなる。これにより、ＰＮＰ型第３トランジスタ６のベース電流が第４の抵抗８を通して流れ出すので、ＰＮＰ型第３トランジスタ６はＯＮとなる。ＰＮＰ型第３トランジスタがＯＮすると、第２負荷１２に電流が供給されるとともに、ＮＰＮ型第４トランジスタ９とＮＰＮ型第５トランジスタ１０へもベース電流が流れるので、ＮＰＮ型第４トランジスタ９とＮＰＮ型第５トランジスタ１０もＯＮとなり、第３負荷１３と第４負荷１４にも電流が供給される。
【００２８】
ＮＰＮ型第１トランジスタ１のコレクタ損失ＰＣ１は、ＮＰＮ型第１トランジスタ１のコレクタ電流をＩＣ１とし、エミッタ電圧をＶＥ１とすると、ＰＣ１＝ＩＣ１×（ＶＣＣ−ＶＥ１）となる。
【００２９】
仮に第３負荷１３と第４負荷１４の少なくとも一方がＰＮＰ型第３トランジスタのコレクタに接続されているとＩＣ１は負荷電流が増えることになるが、本実施例においては第３負荷１３と第４負荷１４にはそれぞれＮＰＮ型第４トランスタ９とＮＰＮ型第５トラン
ジスタから電流が供給されるため、その分ＰＣ１での損失が軽減される。したがって、ＮＰＮ型第１トランジスタは小型の低Ｐｃ品を使用することができるようになり、結果として電源回路を小型化することが可能となる。あるいは加熱調理機器内部に設置される電源回路においては同じＰｃ品であっても周囲温度がより高い環境下でも使用可能となる。
【００３０】
なお、本実施の形態では、基準電圧部３をツェナーダイオードで構成したが、特にツェナーダイオードでなくともよい。
【００３１】
また、コレクタがＤＣ電源部の正出力端子に接続され、ベースがＰＮＰ型第３トランジスタのコレクタに接続され、エミッタが負荷に接続されているＮＰＮ型トランジスタはＮＰＮ型第４トランジスタとＮＰＮ型第５トランジスタの２つとしたが、特に二つに限定するものではなく、コレクタがＤＣ電源部の正出力端子に接続され、ベースがＰＮＰ型第３トランジスタのコレクタに接続され、エミッタが負荷に接続されているＮＰＮ型トランジスタが少なくとも１つ以上あればよく、このＮＰＮ型トランジスタは必要に応じて増減させればよい。また、第１負荷１１を制御部、第２負荷１２を温度検知部、第３負荷１３を操作部、第４負荷１４を表示部としたが、特にこの限りでなくともよい。
【００３２】
（実施の形態２）
図２は、本発明の実施の形態２における安定化電源回路の回路図を示すものである。図２に示すように、バックアップ部１５がＮＰＮ型第１トランジスタ１のエミッタとＤＣ電源部の負出力端子間に接続されている。バックアップ部１５はダイオード１５ａと第５の抵抗１５ｂと電池１５ｃで構成されており、ダイオード１５ａはカソードがＮＰＮ型第１トランジスタ１のエミッタに接続されており、アノードが第５の抵抗１５ｂを介して電池１５ｃの陽極に接続されている。電池１５ｃの陰極はＤＣ電源部の負出力端子に接続されている。他の構成は上記実施の形態１と同じであり、同一符号を付して説明を省略する。
【００３３】
上記構成において動作、作用を説明する。
【００３４】
ＤＣ電源部から出力がない場合には、ＮＰＮ型第１トランジスタにベース電流が流れないのでＮＰＮ型第１トランジスタ１はＯＦＦしている。しかしながらＮＰＮ型第１トランジスタのエミッタにはバックアップ部１５が接続されているので、第１負荷１１にはバックアップ手段１５から電流が供給される。このときＮＰＮ型第２トランジスタへはベース電流が供給されないのでＮＰＮ型第２トランジスタはＯＦＦしている。したがってＰＮＰ型第３トランジスタはベース電流が流れないのでＯＦＦしている。ＰＮＰ型第３トランジスタがＯＦＦであればＮＰＮ型第４トランジスタもＮＰＮ型第５トランジスタもベース電流が流れないのでＯＦＦしている。
【００３５】
ＤＣ電源部から電圧が出力されると、ＮＰＮ型第１トランジスタのベースの電位がバックアップ部１５の出力電圧よりもある電圧以上高くなるとＮＰＮ型第１トランジスタ１のベース電流が流れ出すのでＮＰＮ型第１トランジスタ１がＯＮする。ＤＣ電源部の出力電圧ＶＣＣが基準電圧部３であるツェナーダイオードのツェナー電圧Ｖｚ４とＮＰＮ型第２トランジスタ５のベース−エミッタ間電圧であるＶＢＥ５の和、すなわちＶｚ４＋ＶＢＥ５よりも高くなると、第１の抵抗２および基準電圧部３であるツェナーダイオードを通してＮＰＮ型第２トランジスタ５のベースに電流が流れるので、ＮＰＮ型第２トランジスタ５はＯＮとなる。これにより、ＰＮＰ型第３トランジスタ６のベース電流が第４の抵抗８を通して流れ出すので、ＰＮＰ型第３トランジスタ６はＯＮとなる。ＰＮＰ型第３トランジスタがＯＮすると、第２負荷１２に電流が供給されるとともに、ＮＰＮ型第４トランジスタ９とＮＰＮ型第５トランジスタ１０へもベース電流が流れるので、ＮＰＮ型第４トランジスタ９とＮＰＮ型第５トランジスタ１０もＯＮとなり、第３負荷１３と第４負荷１４にも電流が供給される。
【００３６】
ＮＰＮ型第１トランジスタ１のコレクタ損失ＰＣ１は、ＮＰＮ型第１トランジスタ１のコレクタ電流をＩＣ１とし、エミッタ電圧をＶＥ１とすると、ＰＣ１＝ＩＣ１×（ＶＣＣ−ＶＥ１）となる。
【００３７】
仮に第３負荷１３と第４負荷１４の少なくとも一方がＰＮＰ型第３トランジスタのコレクタに接続されているとその分ＩＣ１は増加することになるが、第３負荷１３と第４負荷１４にはそれぞれＮＰＮ型第４トランスタ９とＮＰＮ型第５トランジスタから電流が供給されるため、その分ＰＣ１での損失が軽減される。したがって、ＮＰＮ型第１トランジスタは小型の低Ｐｃ品を使用することができるようになり、結果として電源回路を小型化することが可能となる。あるいは加熱調理機器内部に設置される電源回路においては同じＰｃ品であっても周囲温度がより高い環境下でも使用可能となる。
【００３８】
また、第１負荷１１へはＤＣ電源部からの出力がなくともバックアップ部より電力が供給され、第１負荷１１以外の負荷へはＤＣ電源部からの出力が所定の電圧以上でないとＮＰＮ型第２トランジスタ５が導通状態とならないので、電力が供給されない構成となっている。したがって商用交流電源に接続されるとＤＣ電源部から電圧が出力される機器において、機器が商用交流電源に接続されない場合でも動作させたい必要最小限の負荷を第１負荷とすれば、バックアップ部１５は不要な電力を消費せずに済む。
【００３９】
なお、本実施の形態では、基準電圧部３をツェナーダイオードで構成したが、特にツェナーダイオードでなくともよい。
【００４０】
また、コレクタがＤＣ電源部の正出力端子に接続され、ベースがＰＮＰ型第３トランジスタのコレクタに接続され、エミッタが負荷に接続されているＮＰＮ型トランジスタはＮＰＮ型第４トランジスタとＮＰＮ型第５トランジスタの２つとしたが、特に二つに限定するものではなく、コレクタがＤＣ電源部の正出力端子に接続され、ベースがＰＮＰ型第３トランジスタのコレクタに接続され、エミッタが負荷に接続されているＮＰＮ型トランジスタが少なくとも１つ以上あればよく、このＮＰＮ型トランジスタは必要に応じて増減させればよい。
【００４１】
また、第１負荷１１を制御部、第２負荷１２を温度検知部、第３負荷１３を操作部、第４負荷１４を表示部としたが、特にこの限りでなくともよい。
【００４２】
また、バックアップ部１５をダイオード１５ａと第５の抵抗１５ｂと電池１５ｃで構成したが、特にこの限りでなくともよく、ＮＰＮ型第１トランジスタがＯＦＦのときに第１負荷１１に電力を供給できるものであればよい。
【００４３】
（実施の形態３）
図３は、本発明の実施の形態３における安定化電源回路の回路図を示すものである。
【００４４】
図３に示すように、ＮＰＮ型第６トランジスタ１６はベースエミッタ間に第６の抵抗１６ａを内蔵する抵抗内蔵型トランジスタであり、コレクタは第４の抵抗８に接続され、エミッタはＤＣ電源部の負出力端子に接続され、ベースは基準電源部４であるツェナーダイオードのアノードに接続されている。他の構成は上記実施の形態１または２と同じであり、同一符号を付して説明を省略する。
【００４５】
上記構成において動作、作用を説明する。
【００４６】
第３負荷１３はＮＰＮ型第４トランジスタのエミッタに、第４負荷１４はＮＰＮ型第５
トランジスタに接続されている。もしも第３負荷１３と第４負荷１４の少なくともいずれか一方がＰＮＰ型第３トランジスタのコレクタに接続されているとその分ＩＣ１は増加することになるが、第３負荷１３と第４負荷１４にはそれぞれＮＰＮ型第４トランスタ９とＮＰＮ型第５トランジスタから電流が供給されるため、その分ＰＣ１での損失が軽減される。したがって、ＮＰＮ型第１トランジスタは小型の低Ｐｃ品を使用することができるようになり、結果として電源回路を小型化することが可能となる。あるいは加熱調理機器内部に設置される電源回路においては同じＰｃ品であっても周囲温度がより高い環境下でも使用可能となる。
【００４７】
さらにＰＮＰ型第３トランジスタ６のコレクタ電流も減少しているので同時にＰＮＰ型第３トランジスタのベース電流も減らすことができる。ＰＮＰ型第３トランジスタ６のベース電流を減らすことができれば、ＮＰＮ型第２トランジスタ１６に流れるコレクタ電流も減らすことができる。ＮＰＮ型第２トランジスタ１６のコレクタ電流を減らすことができれば、同じベース電流でより小さいｈＦＥのトランジスタを使用することができるようになる。したがってＮＰＮ型第２のトランジスタ１６には抵抗内蔵型のＮＰＮ型トランジスタを使用することが可能となり、小型の電源回路を提供することが可能となる。
【００４８】
（実施の形態４）
図４は、本発明の実施の形態４における安定化電源回路の回路図を示すものである。図４に示すように、ＰＮＰ型第７トランジスタ１７はベースエミッタ間に接続された第７の抵抗１７ａと、ベースに接続された第８の抵抗１７ｂを内蔵する抵抗内蔵型トランジスタであり、エミッタはＮＰＮ型第１トランジスタのエミッタに接続され、コレクタは第２負荷１２とＮＰＮ型第４トランジスタ９のベースとＮＰＮ型第５トランジスタ１０のベースに接続され、第８の抵抗１７ｂの一端がＮＰＮ型第２トランジスタのコレクタに接続されている。他の構成は上記実施の形態１または２と同じであり、同一符号を付して説明を省略する。
【００４９】
上記構成において動作、作用を説明する。
【００５０】
第３負荷１３はＮＰＮ型第４トランジスタのエミッタに、第４負荷１４はＮＰＮ型第５トランジスタに接続されている。もしも第３負荷１３と第４負荷１４の少なくともいずれか一方がＰＮＰ型第３トランジスタのコレクタに接続されているとその分ＩＣ１は増加することになるが、第３負荷１３と第４負荷１４にはそれぞれＮＰＮ型第４トランスタ９とＮＰＮ型第５トランジスタから電流が供給されるため、その分ＰＣ１での損失が軽減される。したがって、ＮＰＮ型第１トランジスタは小型の低Ｐｃ品を使用することができるようになり、結果として電源回路を小型化することが可能となる。あるいは加熱調理機器内部に設置される電源回路においては同じＰｃ品であっても周囲温度がより高い環境下でも使用可能となる。
【００５１】
さらにＰＮＰ型第７トランジスタ１７のコレクタ電流も減少しているので、同じベース電流でより小さいｈＦＥのトランジスタを使用することができるようになる。したがってＰＮＰ型第７トランジスタ１７にはベースエミッタ間抵抗とベース抵抗を内蔵した抵抗内蔵型のＰＮＰ型トランジスタを使用することが可能となる。このことにより小型の電源回路を提供することが可能となる。
【００５２】
なお、本実施の形態においてＰＮＰ型第７トランジスタ１７をベースエミッタ間抵抗とベース抵抗を内蔵したものとしたが、特にこの限りでなくともよく、ベースエミッタ間抵抗のみを内蔵したＰＮＰ型トランジスタとしてもよい。
【００５３】
（実施の形態５）
図５は、本発明の実施の形態５における安定化電源回路の回路図を示すものである。図５に示すように、第８トランジスタ１８は同一パッケージ内にＮＰＮ型トランジスタ１８ａとＰＮＰ型トランジスタ１８ｂを内蔵する複合トランジスタである。ＮＰＮ型トランジスタ１８ａのエミッタはＤＣ電源部の負出力端子に接続され、ベースは基準電圧部３であるツェナーダイオードのアノードに接続され、コレクタは第４の抵抗８を介してＰＮＰ型トランジスタ１８ｂのベースに接続されている。ＰＮＰ型トランジスタ１８ｂのエミッタはＮＰＮ型第１トランジスタのエミッタに接続され、コレクタは第２負荷１２とＮＰＮ型第４トランジスタ９のベースとＮＰＮ型第５トランジスタ１０のベースに接続され、第８の抵抗１７ｂの一端がＮＰＮ型第２トランジスタのコレクタに接続されている。他の構成は上記実施の形態１または２と同じであり、同一符号を付して説明を省略する。
【００５４】
上記構成において動作、作用を説明する。
【００５５】
第３負荷１３はＮＰＮ型第４トランジスタのエミッタに、第４負荷１４はＮＰＮ型第５トランジスタに接続されている。もしも第３負荷１３と第４負荷１４の少なくともいずれか一方がＰＮＰ型トランジスタ１８ｂのコレクタに接続されているとその分ＩＣ１は増加することになるが、第３負荷１３と第４負荷１４にはそれぞれＮＰＮ型第４トランスタ９とＮＰＮ型第５トランジスタから電流が供給されるため、その分ＰＣ１での損失が軽減される。したがって、ＮＰＮ型第１トランジスタは小型の低Ｐｃ品を使用することができるようになり、結果として電源回路を小型化することが可能となる。あるいは加熱調理機器内部に設置される電源回路においては同じＰｃ品であっても周囲温度がより高い環境下でも使用可能となる。
【００５６】
さらにＰＮＰ型トランジスタ１８ｂのコレクタ電流も減少しているのでＰＮＰ型トランジスタ１８ｂは同じベース電流でより小さいｈＦＥのＰＮＰ型トランジスタを使用することができるようになる。したがってＰＮＰ型トランジスタ１８ｂはＮＰＮ型トランジス１８ａをも内蔵する複合トランジスタを使用することが可能となり、小型の電源回路を提供することが可能となる。
【産業上の利用可能性】
【００５７】
以上のように、本発明にかかる電源回路は、降圧用トランジスタ１つあたりの損失を抑えられるので、一般家庭で使用される家庭電化製品における電源回路の小型化、あるいは周囲温度が高い環境下で使用される加熱調理機器の電源回路として有用である。
【符号の説明】
【００５８】
１  ＮＰＮ型第１トランジスタ
２  第１の抵抗
３  基準電圧部
４  第２の抵抗
５  ＮＰＮ型第２トランジスタ
６  ＰＮＰ型第３トランジスタ
７  第３の抵抗
８  第４の抵抗
９  ＮＰＮ型第４トランジスタ
１０  ＮＰＮ型第５トランジスタ
１１  第１負荷
１２  第２負荷
１３  第３負荷
１４  第４負荷
１５  バックアップ部
１５ａ  ダイオード
１５ｂ  第５の抵抗
１５ｃ  電池
１６  抵抗内蔵ＮＰＮ型第６トランジスタ
１７  抵抗内蔵ＰＮＰ型第７トランジスタ
１８  複合トランジスタ
【図１】
0005413117.tif 000002
【図２】
0005413117.tif 000003
【図３】
0005413117.tif 000004
【図４】
0005413117.tif 000005
【図６】
0005413117.tif 000006
【図５】
0005413117.tif 000007